(57)【要約】【課題】ラベルに表示する商品情報の一部を簡単に変更することができるラベルプリンタおよびプログラムを提供する。【解決手段】ラベルプリンタ１は、ラベルを発行した場合に発行する登録番号に対応付けて、ラベルに表示した商品情報などを履歴メモリ３２に保存する。これによりラベルプリンタ１は、商品マスタ３１が格納する商品情報を変更せずに、履歴メモリ３２に格納された商品情報を変更することができる。また、ラベルプリンタ１は、同じ商品であっても登録番号ごとに商品情報を変えて保存しておくことができる。従って、ラベルプリンタ１は、ラベルに表示する商品情報の一部を簡単に変更することができる。【選択図】図５
2011183609.tif 000002
【特許請求の範囲】
【請求項１】
発行するラベルに表示するラベル表示情報を登録する登録画面を、表示器に表示する表示制御手段と、
前記登録画面から、前記ラベル表示情報の入力を受付ける受付手段と、
前記登録画面において前記受付手段が受付けた前記ラベル表示情報に対して、前記ラベルの登録順を示す登録番号を発行する登録番号発行手段と、
商品マスタとは別の記憶手段である記憶手段に、前記受付手段が受付けた前記ラベル表示情報と、前記登録番号発行手段が発行した前記登録番号とを、前記登録番号順に履歴として登録する履歴登録手段と、
を備えることを特徴とするラベルプリンタ。
【請求項２】
前記表示制御手段は、前記登録画面に前記登録番号を表示すること、
を特徴とする請求項１に記載のラベルプリンタ。
【請求項３】
前記表示制御手段は、前記記憶手段から前記履歴を読み込み、前記履歴を前記登録番号順に表示する履歴画面を表示器に表示し、
前記受付手段は、前記履歴画面から前記登録番号を受付けて、
前記表示制御手段は、さらに、前記受付手段が受付けた前記登録番号に対する前記商品情報を前記記憶手段から読み込んで、前記登録画面に前記商品情報を表示すること、
を特徴とする請求項１または２に記載のラベルプリンタ。
【請求項４】
前記履歴登録手段は、前記ラベルを登録した登録日時を前記記憶手段に保存し、
前記表示制御手段は、前記記憶手段から前記登録日時を読み込んで、前記登録画面に前記登録日時を表示すること、
を特徴とする請求項１ないし３のいずれか１つに記載のラベルプリンタ。
【請求項５】
前記履歴登録手段は、前記ラベルを登録した登録日時を前記記憶手段に保存し、
前記表示制御手段は、前記記憶手段から前記登録日時を読み込んで、前記履歴画面に前記登録日時を表示すること、
を特徴とする請求項３または４に記載のラベルプリンタ。
【請求項６】
コンピュータを、
発行するラベルに表示するラベル表示情報を登録する登録画面を、表示器に表示する表示制御手段と、
前記登録画面から、前記ラベル表示情報の入力を受付ける受付手段と、
前記登録画面において前記受付手段が受付けた前記ラベル表示情報に対して、前記ラベルの登録順を示す登録番号を発行する登録番号発行手段と、
商品マスタとは別の記憶手段である記憶手段に、前記受付手段が受付けた前記ラベル表示情報と、前記登録番号発行手段が発行した前記登録番号とを、前記登録番号順に履歴として登録する履歴登録手段と、
して機能させるためのプログラム。
【発明の詳細な説明】
【技術分野】
【０００１】
本発明は、ラベルプリンタおよびプログラムに関する。
【背景技術】
【０００２】
スーパーマーケット等の店舗では、商品に貼付して商品名や価格等を表示したラベルを印刷するラベルプリンタが用いられている。ラベルプリンタは、商品マスタから商品名や価格などの商品情報を読み込んでラベルに印刷する印字データを生成し、生成した印字データに基づいてラベルを印刷する。また、ラベルプリンタは、同じ商品のラベルを効率よく発行できるように、過去に発行したラベルについてラベル発行履歴を保存している。
【０００３】
特許文献１には、過去にラベルを発行した商品の商品番号をラベル発行履歴として記憶しておき、ラベル発行履歴の一覧表示から商品番号を選択して、再度同じラベルを発行するラベルプリンタに関する技術が開示されている。
【発明の概要】
【発明が解決しようとする課題】
【０００４】
しかしながら、特許文献１に記載の技術では、ラベル発行履歴は、ラベル発行した商品の商品番号を用いて管理されるため、商品の価格を一時的に値引して販売する際などには商品マスタ等に格納された大元の商品情報を変更してしまい、値引販売終了後に元の通常価格に戻さなければならず、手間がかかるという問題がある。
【０００５】
本発明は、上記に鑑みてなされたものであって、ラベルに表示する商品情報の一部を簡単に変更することができるラベルプリンタおよびプログラムを提供することを目的とする。
【課題を解決するための手段】
【０００６】
上述した課題を解決し、目的を達成するために、本発明のラベルプリンタは、発行するラベルに表示するラベル表示情報を登録する登録画面を、表示器に表示する表示制御手段と、前記登録画面から、前記ラベル表示情報の入力を受付ける受付手段と、前記登録画面において前記受付手段が受付けた前記ラベル表示情報に対して、前記ラベルの登録順を示す登録番号を発行する登録番号発行手段と、商品マスタとは別の記憶手段である記憶手段に、前記受付手段が受付けた前記ラベル表示情報と、前記登録番号発行手段が発行した前記登録番号とを、前記登録番号順に履歴として登録する履歴登録手段と、を備えることを特徴とする。
【０００７】
また、本発明のプログラムは、コンピュータを、発行するラベルに表示するラベル表示情報を登録する登録画面を、表示器に表示する表示制御手段と、前記登録画面から、前記ラベル表示情報の入力を受付ける受付手段と、前記登録画面において前記受付手段が受付けた前記ラベル表示情報に対して、前記ラベルの登録順を示す登録番号を発行する登録番号発行手段と、商品マスタとは別の記憶手段である記憶手段に、前記受付手段が受付けた前記ラベル表示情報と、前記登録番号発行手段が発行した前記登録番号とを、前記登録番号順に履歴として登録する履歴登録手段と、して機能させることを特徴とする。
【発明の効果】
【０００８】
本発明によれば、ラベル表示情報に対して新たな登録番号を発行して、商品マスタとは別の記憶手段に登録するので、ラベル表示情報の一部を変更した場合にも、新たな登録番号によって別の履歴として登録することが可能となり、ラベルに表示する商品情報の一部を簡単に変更することができるという効果を奏する。
【図面の簡単な説明】
【０００９】
【図１】図１は、本発明の実施の一形態にかかるラベルプリンタの外観を示す斜視図である。
【図２】図２は、第１プリンタが本体から引き出された状態を示す斜視図である。
【図３】図３は、ラベルプリンタのハードウェア構成を示すブロック図である。
【図４】図４は、商品マスタを説明する図である。
【図５】図５は、履歴メモリを説明する図である。
【図６】図６は、ラベルプリンタの機能的構成を示す機能ブロック図である。
【図７】図７は、ラベル登録画面の一例を示す図である。
【図８】図８は、履歴呼出画面の一例を示す図である。
【図９】図９は、履歴呼出後のラベル登録画面の一例を示す図である。
【図１０】図１０は、一部のラベル表示情報を変更したラベル登録画面を示す図である。
【図１１】図１１は、履歴更新後の履歴メモリを示す図である。
【図１２】図１２は、履歴更新後の履歴呼出画面を示す図である。
【図１３】図１３は、ラベルプリンタが行うラベル発行処理の手順を示すフローチャートである。
【発明を実施するための形態】
【００１０】
以下に添付図面を参照して、この発明にかかるラベルプリンタおよびプログラムの最良な実施の形態を詳細に説明する。本実施の形態のラベルプリンタは、スーパーマーケットや食品加工工場などにおいて、商品の商品名や価格などの商品情報を印刷したラベルを発行するものである。
【００１１】
図１は、本発明の実施の一形態にかかるラベルプリンタ１の外観を示す斜視図である。ラベルプリンタ１は、商品に関連する情報をラベルに印刷し、印刷したラベルを発行するものである。ラベルプリンタ１の本体２の上部には液晶ディスプレイ３などの表示器が設けられている。液晶ディスプレイ３は、ラベルに印刷する商品情報などを編集するラベル登録画面を表示する。また、液晶ディスプレイ３の表面にはタッチパネル４が設けられている。また、ラベルプリンタ１の本体２の上面にはキーボード５が設けられている。また、ラベルプリンタ１の本体２の正面下部には、商品を載置して商品の重量を秤量する計量秤８が設けられている。
【００１２】
また、ラベルプリンタ１の本体２には、第１プリンタ６と、第２プリンタ７との２つのプリンタユニットが並設されて収容されている。第１プリンタ６および第２プリンタ７は同様の構成であるので、以下では第１プリンタ６について説明する。第１プリンタ６は、第１プリンタ６の前面パネル下部に設けられた溝部６ａに指を掛けてＡ方向に引っ張ることで、図２に示すように本体２から引き出すことができる。
【００１３】
図２は、第１プリンタ６が本体２から引き出された状態を示す斜視図である。第１プリンタ６の内部には、ラベルを台紙に貼付したロール状のラベル用紙Ｐが図示しない保持軸に着脱自在に保持されている。また、第１プリンタ６は、サーマルヘッド等のプリンタヘッド１６を備えている。プリンタヘッド１６はラベル用紙Ｐに文字や記号、バーコードや２次元コード等を印刷する。このように印刷されたラベルは、第１プリンタ６の前面パネル上部に設けられたラベル発行口６ｂから排出される。尚、第２プリンタ７も同様に、ラベル発行口７ｂと、プリンタヘッド１７（図３参照）とを備えている。
【００１４】
次に、ラベルプリンタ１のハードウェア構成について説明する。図３は、ラベルプリンタ１のハードウェア構成を示すブロック図である。
【００１５】
図３に示すように、ラベルプリンタ１は、ＣＰＵ２０と、ＲＯＭ（Read  Only  Memory）１１と、ＲＡＭ（Random  Access  Memory）１２と、ＨＤＤ（Hard  Disk  Drive）３０とを備えており、各部がバス１３や各種インターフェースで接続されている。ＣＰＵ２０は、ＲＯＭ１１またはＨＤＤ３０に格納されたプログラムをＲＡＭ１２に展開して実行することで、ラベルプリンタ１のシステム全体を制御する制御部２１（図６参照）として機能する。
【００１６】
また、ＣＰＵ２０には、バス１３やその他のインターフェースを介して、図１、２で示した液晶ディスプレイ３、タッチパネル４、キーボード５、計量秤８、第１プリンタ６および第２プリンタ７が接続されている。
【００１７】
ＨＤＤ３０は、記憶手段として機能するものであり、図３に示すように商品マスタ３１と、履歴メモリ３２とを主に格納している。
【００１８】
図４は、商品マスタ３１を説明する図である。図４に示すように、商品マスタ３１は、商品名や商品の単価などの商品情報を、商品の識別情報である商品コードに対応付けて記憶している。
【００１９】
図５は、履歴メモリ３２を説明する図である。履歴メモリ３２は、ラベルに印刷するラベル表示情報をラベルの登録順を示す登録番号に対応付けて記憶するものである。
【００２０】
より具体的には、履歴メモリ３２はラベル表示情報として、図５に示すように、登録番号、商品コード、商品名、単価、内容量、値段、ラベルを登録した登録日時、ラベル発行枚数、販売促進用のＰＯＰ（Point  of  Purchase）表示などを格納する。また、登録番号は、１番目に発行されたラベルに対しては０００１と付され、次に発行されたラベルに対しては０００２と付され、以降、各商品に対して０００３、０００４…と１ずつ増加して発行される。
【００２１】
次に、ラベルプリンタ１の機能的構成について説明する。図６は、ラベルプリンタ１の機能的構成を示す機能ブロック図である。図６に示すように、ラベルプリンタ１の制御部２１は、表示制御部２２と、登録番号受付部２３と、ラベル表示情報受付部２４と、ラベル発行部２５と、登録番号発行部２６と、履歴登録部２７とを備えている。
【００２２】
表示制御部２２は、ラベルプリンタ１の電源が投入された場合に、ラベル表示情報を登録する画面であるラベル登録画面３３（図７参照）を液晶ディスプレイ３に表示する。
【００２３】
図７は、ラベル登録画面３３の一例を示す図である。図７に示すように、ラベル登録画面３３では、商品コードや、商品名や、商品の内容量や１００ｇあたりの単価、値段等の商品情報を入力してラベルに印刷するラベル表示情報として登録することができる。
【００２４】
また、ラベル登録画面３３の下部には、過去に発行したラベルの履歴を呼び出す履歴呼出ボタン３３ａや、商品コードや品名を用いて商品マスタ３１から商品を検索する品名リストボタン３３ｂ、ラベルのイメージを表示するラベルイメージボタン３３ｃ、ラベル登録画面３３で編集した情報を履歴メモリ３２に登録して保存するための登録ボタン３３ｄ、ラベルを第１プリンタ６、第２プリンタ７により印刷して発行するラベル発行ボタン３３ｅが設けられている。
【００２５】
また、表示制御部２２は、オペレータがタッチパネル４をタッチしてラベル登録画面３３の履歴呼出ボタン３３ａを押した場合に、履歴メモリ３２が格納するラベル表示情報を登録番号順に表示する履歴呼出画面３４（図８参照）を液晶ディスプレイ３に表示する。
【００２６】
図８は、履歴呼出画面３４の一例を示す図である。図８に示すように履歴呼出画面３４には、ラベルを登録した履歴として、過去に登録した各ラベルについてそれぞれのラベル表示情報が登録番号順、すなわち登録番号の大きい順に表示される。図８に示すように、履歴呼出画面３４には、登録日時、登録番号、商品コード、商品名などがラベル表示情報として登録番号順に表示される。また、履歴呼出画面３４の下部には、履歴呼出画面３４を閉じてラベル登録画面３３に戻るためのキャンセルボタン３４ａや、次頁の履歴を表示するための次頁ボタン３４ｂや、ラベル発行履歴で選択された履歴の商品情報を呼び出してラベル登録画面３３に表示するための呼び出しボタン３４ｃが設けられている。
【００２７】
尚、表示制御部２２が履歴呼出画面３４に表示する登録番号の順番は、上述に限定されるものではなく、ラベルの登録日時順やラベル発行日時順、或いは登録番号の古い順に商品情報を表示するとしてもよい。
【００２８】
登録番号受付部２３は、履歴呼出画面３４において選択された登録番号の入力を受付ける。すなわち、図８に示すように、登録番号が０００３の商品「牛肩ロース焼肉用」というラベル発行履歴がカーソルによって選択された状態で、呼出ボタン３４ｃが押された場合に、登録番号受付部２３は登録番号０００３の入力を受付ける。
【００２９】
表示制御部２２は、登録番号受付部２３が履歴呼出画面３４から登録番号を受付けた場合に、受付けた登録番号に対するラベル表示情報を履歴メモリ３２から読み込んで、ラベル登録画面３３（図９参照）に表示する。
【００３０】
次に、ラベルプリンタ１が、履歴呼出画面３４からラベル発行履歴を呼び出す処理について図を用いて説明する。一例として、図８に示す履歴呼出画面３４において登録番号０００３が選択された状態で呼び出しボタン３４ｃが押された場合について説明する。表示制御部２２は、図５に示す履歴メモリ３２から、登録番号０００３に対応するラベル表示情報を読み込んで、各ラベル表示情報を図９に示すようにラベル登録画面３３に表示する。すると、ラベル登録画面３３には、図９に示すように選択された登録番号０００３と、登録日時「１０．３．３  １５：２０」が表示される。また、履歴メモリ３２から読み込んだ登録番号０００３に係るラベル表示情報が、それぞれ、商品コード００００１、商品名「牛肩ロース焼肉用」、単価２００円、内容量３００ｇ、値段６００円などと表示される。
【００３１】
また、オペレータは、タッチパネル４やキーボード５を操作することにより、ラベル登録画面３３に表示された各ラベル表示情報を変更することができる。例えば、１００ｇあたりの単価を１００円に変更して値下げ販売をしたい場合、オペレータは、図１０に示すように、商品の単価を変更して１００円と入力する。すると、単価と内容量に基づいて商品の値段が計算されて、図１０に示すように値段３００円と表示される。また、単価や値段以外についても、例えば商品名「牛肩ロース焼肉用」（図７）に対してセール販売であることを示して、図１０に示すように「牛肩ロース焼肉用『お買得品』」と追記したり、ＰＯＰ表示として「特価！」と追加表記するように設定したりすることもできる。
【００３２】
ラベル表示情報受付部２４は、ラベル登録画面３３（図９参照）の登録ボタン３３ｄまたはラベル発行ボタン３３ｅが押された場合に、ラベル登録画面３３に表示されているラベル表示情報の入力を受付ける。
【００３３】
ラベル発行部２５は、ラベル登録画面３３（図９参照）のラベル発行ボタン３３ｅが押された場合に、ラベル表示情報受付部２４がラベル登録画面３３から入力を受付けたラベル表示情報に基づいてラベルの印字データを生成し、ＲＡＭ１２に格納する。そして、ラベル発行部２５は、ＲＡＭ１２に格納した印字データを第１プリンタ６のプリンタヘッド１６または第２プリンタ７のプリンタヘッド１７に送出し、各プリンタヘッド１６、１７によってラベル用紙Ｐにラベルを印刷する。さらに、ラベル発行部２５は、第１プリンタ６および第２プリンタ７を制御して、印刷したラベルをラベル発行口６ｂ、７ｂから排出して、ラベルを発行する。
【００３４】
登録番号発行部２６は、ラベル登録画面３３（図９参照）の登録ボタン３３ｄまたはラベル発行ボタン３３ｅが押された場合に、ラベル表示情報受付部２４が受付けたラベル表示情報に対して、最も新しい登録番号を発行する。すなわち、登録番号発行部２６は、図８に示すように履歴メモリ３２が格納する最大の登録番号が０００３である場合に、０００３より１だけ大きい登録番号０００４を最新の登録番号として発行する。
【００３５】
履歴登録部２７は、ラベル表示情報受付部２４が受付けたラベル表示情報に、登録番号発行部２６が発行した最も新しい登録番号を対応付けて、登録番号順に履歴メモリ３２に格納し、ラベル発行履歴として登録する。
【００３６】
より具体的には、履歴登録部２７は、上述のようにラベル表示情報を変更した場合に、変更後の商品名「牛肩ロース焼肉用『お買得品』」や、変更後の単価や値段などの各種ラベル表示情報を、最新の登録番号０００４に対応付けて、図１１に示すように、履歴メモリ３２に格納する。
【００３７】
図１１は、履歴更新後の履歴メモリ３２を示す図である。図１１に示すように履歴メモリ３２には、同じ商品コード００００１の商品に対しても、登録番号０００３では単価２００円と設定しておき、登録番号０００４では単価１００円と設定することができる。つまり、履歴メモリ３２は、ラベル発行履歴を登録番号で管理するので、同じ商品コード、同じ商品名の商品に対して発行したラベルについても、そのラベルに表示した一部のラベル表示情報が異なる場合には、異なる登録番号を付してラベル発行（登録）履歴を登録することができる。
【００３８】
これにより、例えば、タイムセール時などに、商品価格を一時的に値下げしてラベルを発行したい場合には、履歴メモリ３２に新たな登録番号を付して別のラベル発行履歴として登録することで、元のラベル表示情報はそのまま保存しておくことができ、また、商品マスタ３１の商品情報も変更せずに済むという利点がある。
【００３９】
なお、オペレータがこの時点においてラベル登録画面３３（不図示）の履歴呼出ボタン３３ａを押した場合には、図１２に示すような履歴呼出画面３４が表示器に表示され、最新登録履歴として登録番号０００４のラベル発行履歴が表示される。
【００４０】
次に、ラベルプリンタ１が行うラベル発行処理の手順について説明する。図１３は、ラベルプリンタ１が行うラベル発行処理の手順を示すフローチャートである。
【００４１】
まず、ラベルプリンタ１の電源が投入されると、表示制御部２２はラベル登録画面３３（図７参照）を液晶ディスプレイ３に表示する（ステップＳ１）。ラベルプリンタ１は、ラベル登録画面３３において履歴呼出ボタン３３ａが押されたか判定する（ステップＳ２）。ステップＳ２において履歴呼出ボタン３３ａが押されていない場合（ステップＳ２：Ｎｏ）にはステップＳ８に移行する。履歴呼出ボタン３３ａが押された場合には（ステップＳ２：Ｙｅｓ）、ステップＳ３に移行する。
【００４２】
表示制御部２２は、履歴メモリ３２が格納するラベル表示情報を用いて、過去に発行した各ラベルの表示情報を表示する履歴呼出画面３４（図８参照）を液晶ディスプレイ３に表示する（ステップＳ３）。ラベルプリンタ１は、履歴呼出画面３４においてキャンセルボタン３４ａが押されていないか判定する（ステップＳ４）。キャンセルボタン３４ａが押された場合（ステップＳ４：Ｙｅｓ）には表示制御部２２は履歴呼出画面３４を閉じてラベル登録画面３３（図７参照）に戻りステップＳ８に移行する。
【００４３】
キャンセルボタン３４ａが押されていない場合（ステップＳ４：Ｎｏ）にラベルプリンタ１は、呼出ボタン３４ｃ（図８参照）が押されたか判定する（ステップＳ５）。呼出ボタン３４ｃが押されていない間（ステップＳ５：Ｎｏ）はステップＳ４に戻って入力待ちをする。一方、呼出ボタン３４ｃが押された場合（ステップＳ５：Ｙｅｓ）に、登録番号受付部２３は、履歴呼出画面３４において選択された登録番号を受付ける（ステップＳ６）。表示制御部２２は、履歴呼出画面３４を閉じて、受付けた登録番号に対するラベル表示情報を履歴メモリ３２から読み込んでラベル登録画面３３（図９参照）に表示する（ステップＳ７）。
【００４４】
一方、ラベルプリンタ１は、ラベル登録画面３３（図９、図１０参照）においてラベル発行ボタン３３ｅが押されたか判定する（ステップＳ８）。ラベル発行ボタン３３ｅが押されていない場合（ステップＳ８：Ｎｏ）は、ステップＳ８に戻って入力待ちをする。ラベル発行ボタン３３ｅが押された場合（ステップＳ８：Ｙｅｓ）には、ラベル表示情報受付部２４は、ラベル登録画面３３（図９、図１０参照）に表示されているラベル表示情報の入力を受付ける（ステップＳ９）。ラベル発行部２５は、ラベル表示情報受付部２４が入力を受付けたラベル表示情報に基づいて、ラベルに印刷する印字データを生成し、生成した印字データをプリンタヘッド１６、１７に送出し、第１プリンタ６および第２プリンタ７の少なくともいずれか一方を制御してラベルを印刷し、ラベル発行口６ｂまたは７ｂからラベルを発行する（ステップＳ１０）。
【００４５】
そして、登録番号発行部２６は、ステップ１０で発行したラベルに対して最新の登録番号を発行する（ステップＳ１１）。そして、履歴登録部２７は、ラベル表示情報受付部２４が受付けたラベル表示情報と、登録番号発行部２６が発行した最新の登録番号とを対応付けて、ラベル発行履歴として履歴メモリ３２に登録する（ステップＳ１２）。
【００４６】
なお、ステップＳ８でラベル発行ボタン３３ｅではなく登録ボタン３３ｄが押された場合には、ラベルプリンタ１は、上述と同様にステップＳ９の処理を行い、ステップＳ１０でのラベル印刷はせずに、ステップＳ１１で登録番号を発行して、ステップＳ１２でラベル表示情報を履歴メモリ３２に登録する。これにより、ラベルを発行せずにラベル表示情報を登録だけ行う場合についても同様に、登録番号に対応付けて履歴メモリ３２にラベル表示情報を保存することができる。
【００４７】
上述のように、本実施の形態にかかるラベルプリンタ１は、同じ商品についても異なる登録番号を発行し、異なるラベル発行履歴として履歴メモリ３２に保存することができるので、商品マスタ３１に格納されているおおもとの商品情報は変更せずに、ラベルに表示する商品情報の一部を簡単に変更することができるという効果を奏する。
【００４８】
尚、上述では、ラベルプリンタ１が商品マスタ３１および履歴メモリ３２を備えるとしたが、ラベルプリンタ１と接続されたストアサーバなどが商品マスタ３１や履歴メモリ３２を備えるとしてもよい。
【００４９】
また、上述では、履歴登録部２７は、ラベル表示情報受付部２４が受付けたラベル表示情報に対して、最も新しい登録番号を対応付けて履歴メモリ３２に格納するとしたが、ラベル発行履歴の保存方法はこれに限定されるものではない。その他の例として、履歴登録部２７は、過去に発行された登録番号に対して、変更後のラベル表示情報を格納して、ラベル発行履歴を上書き保存するとしてもよい。
【００５０】
なお、本実施形態のラベルプリンタ１で実行されるプログラムは、ＲＯＭ等に予め組み込まれて提供される。本実施形態のラベルプリンタ１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【００５１】
さらに、本実施形態のラベルプリンタ１で実行されるプログラムを、インターネット等のネットワークに接続されたコンピュータ上に格納し、ネットワーク経由でダウンロードさせることにより提供するように構成しても良い。また、本実施形態のラベルプリンタ１で実行されるプログラムをインターネット等のネットワーク経由で提供または配布するように構成しても良い。
【００５２】
本実施の形態のラベルプリンタ１で実行されるプログラムは、上述した各部（表示制御部２２、登録番号受付部２３、ラベル表示情報受付部２４、ラベル発行部２５、登録番号発行部２６、履歴登録部２７）を含むモジュール構成となっており、実際のハードウェアとしてはＣＰＵ（プロセッサ）が上記ＲＯＭからプログラムを読み出して実行することにより上記各部が主記憶装置上にロードされ、表示制御部２２、登録番号受付部２３、ラベル表示情報受付部２４、ラベル発行部２５、登録番号発行部２６、履歴登録部２７が主記憶装置上に生成されるようになっている。
【産業上の利用可能性】
【００５３】
以上のように、本発明にかかるラベルプリンタおよびプログラムは、スーパーマーケットや食品加工工場などで使用されるラベルプリンタに有用である。
【符号の説明】
【００５４】
１  ラベルプリンタ
２  本体
６  第１プリンタ
７  第２プリンタ
１６、１７  プリンタヘッド
Ｐ  ラベル用紙
３１  商品マスタ
３２  履歴メモリ
３３  ラベル登録画面
３４  履歴呼出画面
【先行技術文献】
【特許文献】
【００５５】
【特許文献１】特許第２６３０２５６号
【図１】
2011183609.tif 000003
【図２】
2011183609.tif 000004
【図３】
2011183609.tif 000005
【図４】
2011183609.tif 000006
【図５】
2011183609.tif 000007
【図６】
2011183609.tif 000008
【図７】
2011183609.tif 000009
【図８】
2011183609.tif 000010
【図９】
2011183609.tif 000011
【図１０】
2011183609.tif 000012
【図１１】
2011183609.tif 000013
【図１２】
2011183609.tif 000014
【図１３】
2011183609.tif 000015